(57)【要約】【課題】  カプラトレイに実装する光カプラの数を増やすことにより、一つのカプラトレイで処理できる光ファイバケーブルの本数増やす。【解決手段】  ラック２と、ラック２に出し入れ可能に装着されたカプラトレイ７と、光ファイバケーブル２０を複数の光ファイバ心線２１に分岐する複数の光カプラ１６からなる光カプラ群１５とを備えた光カプラ収納ユニット１であって、前記カプラトレイ７に、前記光カプラ群１５を前記カプラトレイ７の出し入れ方向の前後に並ぶように複数列に実装した光カプラ収納ユニット１。【選択図】  図１
2011141394.tif 000002
【特許請求の範囲】
【請求項１】
ラックと、ラックに出し入れ可能に装着されたカプラトレイと、光ファイバケーブルを複数の光ファイバ心線に分岐する複数の光カプラからなる光カプラ群とを備えた光カプラ収納ユニットであって、
前記カプラトレイに、前記光カプラ群を前記カプラトレイの出し入れ方向の前後に並ぶように複数列に実装したことを特徴とする光カプラ収納ユニット。
【請求項２】
前記各光カプラ群の各光カプラは、前面側に一つの入力ポートと複数の出力ポートとが設けられ、前面側の入力ポート及び出力ポートが前記カプラトレイの出し入れ方向の前方側に位置するように、前記カプラトレイに実装されていることを特徴とする請求項１に記載の光カプラ収納ユニット。
【請求項３】
前記各光カプラ群の各光カプラは、前面側に複数の出力ポートが設けられ、後面側に一つの入力ポートが設けられ、前面側の入力ポートが前記カプラトレイの出し入れ方向の前方側に位置するように、前記カプラトレイに実装されていることを特徴とする請求項１に記載の光カプラ収納ユニット。
【請求項４】
前記一の光カプラ群の各光カプラは、前面側に一つの入力ポートと複数の出力ポートとが設けられ、前面側の入力ポート及び出力ポートが前記カプラトレイの出し入れ方向の前方側に位置するように、前記カプラトレイに実装され、前記他の一の光カプラ群の各光カプラは、前面側に複数の出力ポートが設けられ、後面側に一つの入力ポートが設けられ、前面側の入力ポートが前記カプラトレイの出し入れ方向の前方側に位置するように、前記カプラトレイに実装されていることを特徴とする請求項１に記載の光カプラ収納ユニット。
【請求項５】
前記カプラトレイには、該カプラトレイと一体に出し入れ可能なケーブルクランプ棚が設けられ、該ケーブルクランプ棚に、前記各光カプラ群の各光カプラに接続された光ファイバケーブル、及び各光カプラから引き出された光ファイバ心線が、クランプによって支持されていることを特徴とする請求項１から４の何れか１項に記載の光カプラ収納ユニット。
【発明の詳細な説明】
【技術分野】
【０００１】
本発明は、光カプラ収納ユニットに関する。
【背景技術】
【０００２】
例えば、光ファイバ通信網を構築する場合、ラックと、ラックに出し入れ可能に装着される複数のカプラトレイと、各カプラトレイに実装された複数の光カプラとを備えた光カプラ収納ユニット（光成端架、光成端箱ともいう。）を用い、この光カプラ収納ユニットを光ファイバ通信網の局舎内に複数設置し、各光カプラ収納ユニットに光ファイバケーブルを引き込み、各光ファイバケーブルを各光カプラ収納ユニットの各光カプラで複数の光ファイバ心線に分岐し、各光ファイバ心線を各光カプラ収納ユニットからそれぞれ引き出すことが行われている（特許文献１）。
【先行技術文献】
【特許文献】
【０００３】
【特許文献１】特開２０００−９８１３８号公報
【発明の概要】
【発明が解決しようとする課題】
【０００４】
ところで、上記のような構成の光カプラ収納ユニットを用いて光ファイバケーブルを複数の光ファイバ心線に分岐する場合、光カプラ収納ユニットの各カプラトレイには、所定数量の光カプラが各カプラトレイの出し入れ方向に一列に並べられた状態で実装されているため、光カプラ収納ユニットで処理できる光ファイバケーブルの本数がカプラトレイの数に依存することになり、このため、処理する光ファイバケーブルの本数を増やしたい場合には、ラックを大型化するか、或いはラックの設置面積を増やす等の対策を採らなければならない。
【０００５】
本発明は、上記のような従来の問題に鑑みなされたものであって、一つのカプラトレイに実装する光カプラの数を増加させて、一つのカプラトレイで処理できる光ファイバケーブルの本数を増加させ、これにより、一つのラック当たりの光ファイバケーブルの処理本数を増やすことのできる光ファイバ収納ユニットを提供することを目的とする。
【課題を解決するための手段】
【０００６】
上記のような課題を解決するために、本発明は、以下のような手段を採用している。
すなわち、本発明は、ラックと、ラックに出し入れ可能に装着されたカプラトレイと、光ファイバケーブルを複数の光ファイバ心線に分岐する複数の光カプラからなる光カプラ群とを備えた光カプラ収納ユニットであって、前記カプラトレイに、前記光カプラ群を前記カプラトレイの出し入れ方向の前後に並ぶように複数列に実装したことを特徴とする。
【０００７】
本発明の光カプラ収納ユニットによれば、複数の光カプラからなる光カプラ群を、カプラトレイの出し入れ方向の前後方向に並ぶように複数列に実装したので、一つのカプラトレイに光カプラ群を一列に実装したものに比べて、一つのカプラトレイに実装できる光カプラの数を大幅に増やすことができる。従って、一つのカプラトレイで処理できる光ファイバケーブルの本数を大幅に増やすことができるので、ラックの設置面積当たりの光ファイバケーブルの処理本数を大幅に増やすことができる。
【０００８】
また、本発明において、前記各光カプラ群の各光カプラは、前面側に一つの入力ポートと複数の出力ポートとが設けられ、前面側の入力ポート及び出力ポートが前記カプラトレイの出し入れ方向の前方側に位置するように、前記カプラトレイに実装されていることとしてもよい。
【０００９】
本発明の光カプラ収納ユニットによれば、カプラトレイの出し入れ方向の前方側から各光カプラ群の各光カプラの前面側の入力ポートに光ケーブルが接続され、各光ケーブルが各光カプラで複数の光ファイバ心線に分岐され、各光ファイバ心線が各光カプラの前面側の出力ポートからカプラトレイの外部に引き出されることになる。
【００１０】
さらに、本発明において、前記各光カプラ群の各光カプラは、前面側に複数の出力ポートが設けられ、後面側に一つの入力ポートが設けられ、前面側の入力ポートが前記カプラトレイの出し入れ方向の前方側に位置するように、前記カプラトレイに実装されていることとしてもよい。
【００１１】
本発明の光カプラ収納ユニットによれば、カプラトレイの出し入れ方向の前方側から各光カプラ群の各光カプラの後面側の入力ポートに光ケーブルが接続され、各光ケーブルが各光カプラで複数の光ファイバ心線に分岐され、各光ファイバ心線が各光カプラの前面側の出力ポートからカプラトレイの外部に引き出されることになる。
【００１２】
さらに、本発明において、前記一の光カプラ群の各光カプラは、前面側に一つの入力ポートと複数の出力ポートとが設けられ、前面側の入力ポート及び出力ポートが前記カプラトレイの出し入れ方向の前方側に位置するように、前記カプラトレイに実装され、前記他の一の光カプラ群の各光カプラは、前面側に複数の出力ポートが設けられ、後面側に一つの入力ポートが設けられ、前面側の入力ポートが前記カプラトレイの出し入れ方向の前方側に位置するように、前記カプラトレイに実装されていることとしてもよい。
【００１３】
さらに、本発明において、前記カプラトレイには、該カプラトレイと一体に出し入れ可能なケーブルクランプ棚が設けられ、該ケーブルクランプ棚に、前記各光カプラ群の各光カプラに接続された光ファイバケーブル、及び各光カプラから引き出された光ファイバ心線が、クランプによって支持されていることとしてもよい。
【００１４】
本発明の光カプラ収納ユニットによれば、カプラトレイとケーブルクランプ棚とが一体に出し入れされることにより、各光カプラに接続された各光ファイバケーブル及び各光カプラから引き出された各光ファイバ心線に無理な力が加わるのが防止され、各光ケーブル各光ファイバ心線が断線等するのが防止される。
【発明の効果】
【００１５】
以上、説明したように、本発明の光カプラ収納ユニットによれば、カプラトレイの出し入れ方向の前後に並ぶように複数の光カプラからなる光カプラ群を複数列に実装したので、一つのカプラトレイに一列に光カプラ群を実装したものに比べて、一つのカプラトレイに実装できる光カプラの数を大幅に増やすことができ、一つのカプラトレイで処理できる光ファイバケーブルの本数を大幅に増やすことができる。
【図面の簡単な説明】
【００１６】
【図１】本発明による光カプラ収納ユニットの第１の実施の形態のカプラトレイの全体を示した概略図である。
【図２】本発明による光カプラ収納ユニットの第２の実施の形態のカプラトレイの全体を示した概略図である。
【図３】本発明による光カプラ収納ユニットの第３の実施の形態のカプラトレイの全体を示した概略図である。
【発明を実施するための形態】
【００１７】
以下、図面を参照しながら本発明の実施の形態について説明する。
図１には、本発明による光カプラ収納ユニットの第１の実施の形態が示されている。本実施の形態の光カプラ収納ユニット１は、ラック２と、ラック２に複数段に出し入れ可能に装着される複数のカプラトレイ７と、各カプラトレイ７に複数列に実装される複数の光カプラ群１５とを備えている。
なお、以下の各実施の形態においては、本発明を４段のカプラトレイ７を備えた光カプラ収納ユニット１に適用しているが、図示はしないが、各実施の形態において、３段以下又は５段以上のカプラトレイ７を備えた光カプラ収納ユニット１に本発明を適用してもよい。
【００１８】
ラック２は、例えば、４本の支柱３〜６と、４本の支柱３〜６の上端に設けられる天板（図示せず）と、４本の支柱３〜６の下端に設けられる底板（図示せず）と、左右の２本の支柱３〜５、４〜６間にそれぞれ設けられる側板(図示せず)と、背面側の２本の支柱５、６間に設けられる背面板（図示せず）とから構成され、このラック２に前面側から複数のカプラトレイ７が出し入れ可能に装着されている。
【００１９】
ラック２の左右の２本の支柱３〜５、４〜６の内面側には、左右一対のガイドレール（図示せず）がラック２の前後方向を向いた状態で設けられ、この一対のガイドレールによって各カプラトレイ７がラック２に出し入れ可能に支持されている。
なお、ガイドレールは、必ずしも設ける必要はなく、必要に応じて設ければよい。
【００２０】
各カプラトレイ７は、左右一対の帯板状の側板（左側板８及び右側板９）と、両側板８、９の下端間を閉塞する四角形板状の底板１０と、両側板８、９の後端間を閉塞する背面板１１とを備えたものであって、左右の側板８、９の内面と背面板１１の内面と底板１０の上面とによって囲まれる部分に上方及び前方が開口する実装部１４が設けられている。
【００２１】
各カプラトレイ７の各側板８、９の前端には、外方に略直角に屈曲された所定幅の耳部１２、１３が一体に設けられ、各カプラトレイ７をラック２の内部に収納し、各耳部１２、１３をラック２の前面側の各支柱３、４の前面に係止させ、この状態で各耳部１２、１３をねじ（図示せず）によって各支柱３、４に固定することにより、各カプラトレイ７がラック２の内部に収納された状態に固定される。
【００２２】
各カプラトレイ７の実装部１４には、各カプラトレイ７の出し入れ方向と直交する方向に複数の光カプラ１６を並べて構成した光カプラ群１５が、各カプラトレイ７の出し入れ方向の前後に間隔をおいて複数列（本実施の形態では２列）に設けられている。
【００２３】
各光カプラ群１５を構成する各光カプラ１６（光スプリッタともいう。）は、例えば、前面側の上部中央に１つの入力ポート１７が設けられ、下部に４つの出力ポート１８が横並びに設けられた４分極タイプの光カプラであって、各光カプラ１６の入力ポート１７に光ファイバケーブル２０が接続され、各光カプラ１６の内部で複数に分岐された各光ファイバ心線２１が各出力ポート１８から引き出されるようになっている。
【００２４】
本実施の形態においては、カプラトレイ７の出し入れ方向の後方側に１０個の光カプラ１６を横並びに一列に配置して光カプラ群１５を構成し、前方側に８つの光カプラ１６を横並びに一列に配置して光カプラ群１５を構成している。
【００２５】
また、前方側の光カプラ群１５の左端の光カプラ１６とカプラトレイ７の左側板８との間、及び右端の光カプラとカプラトレイの右側板との間には、それぞれ所定の間隙１９が設けられ、各間隙１９を介して各光ファイバケーブル２０が後方側の各光カプラ１６に引き込まれ、後方側の各光カプラ１６から引き出された各光ファイバ心線２１が各間隙１９を介してカプラトレイ７の前方側に引き出されるようになっている。
【００２６】
カプラトレイ７の引き出し方向の前方側には、ケーブルクランプ棚２２が一体に設けられ、カプラトレイ７とケーブルクランプ棚２２とが一体に出し入れ可能に構成されている。ケーブルクランプ棚２２にはクランプ２３が設けられ、このクランプ２３によって各光カプラ１６に接続される各光ファイバケーブル２０、及び各光カプラ１６から引き出される各光ファイバ心線２１が束ねられた状態で支持されている。
【００２７】
上記ように構成した本実施の形態による光カプラ収納ユニット１にあっては、カプラトレイ７の実装部１４に、複数の光カプラ１６を横並びに一列に配置して構成した光カプラ群１５を、カプラトレイ７の出し入れ方向の前後に複数列（本実施の形態では２列）に実装したので、実装部１４に複数の光カプラ１６からなる光カプラ群１５を一列に実装したものに比べて、カプラトレイ７の実装部１４へ実装可能な光カプラ１６の数を大幅に増やすことができる。
【００２８】
従って、一つのカプラトレイ７で処理できる光ファイバケーブル２０の処理本数を大幅に増やすことができるので、ラック２を大型化することなく、また、ラック２の数を増やすことなく、光ファイバケーブル２０の処理本数を増加させることができる。
【００２９】
また、各カプラトレイ７の引き出し方向の前方側の部分には、ケーブルクランプ棚２２が一体に設けられ、各カプラトレイ７とケーブルクランプ棚２２とが一体に出し入れ可能に構成され、このケーブルクランプ棚２２に設けられたクランプ２３により、各光カプラ１６に接続される各光ファイバケーブル２０、及び各光カプラ１６から引き出される光ファイバ心線２１が支持されているので、各カプラトレイ７を出し入れする際に、最下段のカプラトレイ７のようにカプラトレイ７を出した状態でも、その上方の３段のカプラトレイ７のように入れた状態でも、各光ファイバケーブル２０及び各光ファイバ心線２１に無理な力が加わるようなことはなく、各光ファイバケーブル２０及び各光ファイバ心線２１の破断等を防止できる。
【００３０】
なお、本実施の形態においては、各カプラトレイ７に２列に光カプラ群１５を実装したが、３列以上に光カプラ群１５を実装してもよい。また、本実施の形態においては、各光カプラ１６に４分極タイプの光カプラを用いたが、その他の各種のタイプの光カプラを用いてもよい。
【００３１】
図２には、本発明による光カプラ収納ユニットの第２の実施の形態が示されている。この光カプラ収納ユニット１は、各光カプラ１６として、後面側に一つの入力ポート１７が設けられ、前面側に４つの出力ポート１８が設けられた４分極タイプの光カプラを用い、この光カプラ１６を、４つの出力ポート１８が縦並びとなるように、各カプラトレイ７に複数の光カプラ１６を横並びに一列に配置して光カプラ群１５を構成し、この光カプラ群１５を各カプラトレイ７の出し入れ方向の前後に複数列（本実施の形態では２列）に実装したものであって、その他の構成は前記第１の実施の形態に示すものと同様である。
【００３２】
そして、本実施の形態の光カプラ収納ユニット１にあっても、前記第１の実施の形態に示すものと同様に、カプラトレイ７の実装部１４に、複数の光カプラ１６を横並びに一列に配置して構成した光カプラ群１５を、カプラトレイ７の出し入れ方向の前後に複数列（本実施の形態では２列）に実装したので、実装部１４に複数の光カプラ１６からなる光カプラ群１５を一列に実装したものに比べて、カプラトレイ７の実装部１４へ実装可能な光カプラ１６の数を大幅に増やすことができる。
【００３３】
従って、一つのカプラトレイ７で処理できる光ファイバケーブル２０の処理本数を大幅に増やすことができるので、ラック２を大型化することなく、また、ラック２の数を増やすことなく、光ファイバケーブル２０の処理本数を増加させることができる。
【００３４】
また、本実施の形態においては、４つの出力ポート１８が縦並びとなるように、各光カプラ１６を実装部１４に実装しているので、第１の実施の形態に示すものよりも、更に多くの光カプラ１６を実装部１４に実装できることになり、カプラトレイ７で処理できる光ファイバケーブル２０の処理本数を更に増やすことができる。
【００３５】
図３には、本発明による光カプラ収納ユニットの第３の実施の形態が示されている。この光カプラ収納ユニット１は、第１の実施の形態の光カプラ群１５と第２の実施の形態の光カプラ群１５とを組み合わせ、これらの光カプラ群１５を各光カプラトレイ７の実装部１４の出し入れ方向の前後に複数列に実装したものであって、その他の構成は前記第１及び第２の実施の形態に示すものと同様である。
【００３６】
そして、本実施の形態の光カプラ収納ユニット１にあっても、前記第１の実施の形態及び第２の実施の形態に示すものと同様の作用効果を奏する。
【符号の説明】
【００３７】
１  光カプラ収納ユニット
２  ラック
３、４、５、６  支柱
７  カプラトレイ
８  左側板
９  右側板
１０  底板
１１  背面板
１２、１３  耳部
１４  実装部
１５  光カプラ群
１６  光カプラ
１７  入力ポート
１８  出力ポート
１９  隙間
２０  光ファイバケーブル
２１  光ファイバ心線
２２  ケーブルクランプ棚
２３  クランプ
【図１】
2011141394.tif 000003
【図２】
2011141394.tif 000004
【図３】
2011141394.tif 000005